(57)【要約】  タイムアウト期間内に可変長送信に対する肯定応答を使用する空間分割多重接続システムでは、その送信を完了したステーションは、同じチャンネル上の他のステーションがそれらの送信を終了したと判断するまで、タイムアウト期間の開始を遅らせる。
2007507133.tif 000002
【特許請求の範囲】
【請求項１】
デバイスを含む装置において、前記デバイスは、
ワイヤレス・チャンネルを介して送信を実行し、
別のデバイスが前記ワイヤレス・チャンネルを介して送信しているかどうかを判断するために、前記送信の完了に続いて前記ワイヤレス・チャンネルをモニタし、
前記別のデバイスが前記ワイヤレス・チャンネルを介して送信をしていない判断に応答してタイムアウト期間を開始する、
ために適合していることを特徴とする装置。
【請求項２】
前記デバイスは、前記別のデバイスが前記ワイヤレス・チャンネルを介して送信をしている判断に応答して、前記タイムアウト期間を開始しないようにさらに適合していることを特徴とする請求項１記載の装置。
【請求項３】
前記デバイスは、前記タイムアウト期間中に前記完了した送信に対する肯定応答をモニタするためにさらに適合していることを特徴とする請求項１記載の装置。
【請求項４】
前記デバイスは、前記タイムアウト期間の終了前に前記肯定応答を受信することに応答して前記タイムアウト期間を取消すためにさらに適合していることを特徴とする請求項３記載の装置。
【請求項５】
前記デバイスは、前記タイムアウト期間の終了前に前記肯定応答を受信しないことに応答して前記送信を再送信するためにさらに適合していることを特徴とする請求項３記載の装置。
【請求項６】
前記モニタは、搬送波をモニタすることを含むことを特徴とする請求項１記載の装置。
【請求項７】
前記モニタは、データ送信をモニタすることを含むことを特徴とする請求項１記載の装置。
【請求項８】
全方向性アンテナと、
前記全方向性アンテナに結合されたデバイスと、から構成されるシステムであって、
前記デバイスは、
ワイヤレス・チャンネル介して前記全方向性アンテナから基地局へ送信を実行し、
前記送信の完了に続いて、クリア・チャネル条件のために前記ワイヤレス・チャンネルをモニタし、
クリア・チャネル条件の存在の判断に応答して、タイムアウト期間を開始するために適合している、
ことを特徴とするシステム。
【請求項９】
前記デバイスは、前記クリア・チャネル条件の不存在の判断に応答して、前記タイムアウト期間を開始しないようにさらに適合していることを特徴とする請求項８記載のシステム。
【請求項１０】
前記デバイスは、前記タイムアウト期間の終了前に肯定応答を受信することに応答して、前記タイムアウト期間を取消すためにさらに適合していることを特徴とする請求項８記載のシステム。
【請求項１１】
前記デバイスは、前記タイムアウト期間の前記終了前に前記肯定応答を受信しないことに応答してエラー処理を開始するためにさらに適合していることを特徴とする請求項１０記載のシステム。
【請求項１２】
前記エラー処理は、前記ワイヤレス・チャンネルを介して前記送信を再送信するための準備をすることを含むことを特徴とする請求項１１記載のシステム。
【請求項１３】
前記モニタは、搬送波をモニタすることを含むことを特徴とする請求項８記載のシステム。
【請求項１４】
ワイヤレス通信チャンネルを介してデータ送信を送信する段階と、
前記送信する段階に続いて、クリア・チャネル条件が検出されるまで、前記ワイヤレス通信チャンネルをモニタする段階と、
前記クリア・チャネル条件の検出に続いて、タイムアウト期間を開始する段階と、
前記タイムアウト期間中に前記データ送信に対する肯定応答が受信されたかどうかを判断する段階と、
を含むことを特徴とする方法。
【請求項１５】
前記タイムアウト期間中の前記肯定応答の受信に応答して、前記タイムアウト期間を中止する段階をさらに含むことを特徴とする請求項１４記載の方法。
【請求項１６】
前記タイムアウト期間の終了前に、前記肯定応答を受信しないことに応答して、エラー処理を開始する段階をさらに含むことを特徴とする請求項１４記載の方法。
【請求項１７】
命令を提供する機械読取り可能な媒体であって、処理プラットフォームによって実行される場合、前記処理プラットフォームは、
ワイヤレス通信チャンネルを介してデータ送信を実行するために少なくとも１つの送信キューにデータを置き、
前記実行に続いて前記ワイヤレス通信チャンネルをモニタし、
前記ワイヤレス通信チャンネルが使用中ではないことをモニタすることに応答して、タイムアウト期間を開始し、
前記タイムアウト期間中に前記データ送信に対する肯定応答が受信されたかどうかを判断するために受信キューからデータを読む、
動作をすることを特徴とする機械読取り可能な媒体。
【請求項１８】
前記動作は、前記タイムアウト期間の終了前に前記肯定応答を受信することに応答して、前記タイムアウト期間を中止することをさらに含むことを特徴とする請求項１７記載の媒体。
【請求項１９】
前記動作は、前記タイムアウト期間の終了前に前記肯定応答を受信しないことに応答して、エラー処理を開始することをさらに含むことを特徴とする請求項１７記載の媒体。
【請求項２０】
前記モニタは、クリア・チャネル条件をモニタすることを含むことを特徴とする請求項１７記載の媒体。
【発明の詳細な説明】
【技術分野】
【０００１】
本発明は、ＳＤＭＡの可変ＡＣＫタイムアウトに関する。
【背景技術】
【０００２】
ワイヤレス・データ通信システムは、帯域幅の増加を求める要求に常に置かれており、その問題に対処するために、複数の装置に単一チャンネルを共有させることにより単一基地局と通信できる様々な技術が開発されている。そのような技術の１つは、モバイル装置が基地局から十分に異なった方角に位置している場合、基地局は同じ周波数上で同時に複数のモバイル装置と個別の信号を送受信することができる。基地局からの送信については、異なる信号が空間分離アンテナ（separate spaced-apart antenna）の各々から同時に送信され、結合された送信が方向付けられる、つまり、各モバイル装置用に向けられた信号は、そのモバイル装置の方向に対しては比較的強く、他の方角には比較的弱い。同様の方法で、基地局は、各々の空間分離アンテナを通って複数の独立したモバイル装置からの結合した信号を同時に同じ周波数上で受信し、その受信に方向性があるので、適切な信号処理を施すことにより、複数のアンテナから受信した結合信号を各モバイル装置からの個別信号に分離することができる。
【０００３】
ＩＥＥＥ  ８０２．１１（ＩＥＥＥは電気電子学会の頭文字であり、ニューヨーク州ニューヨーク市パーク・アベニュー３  １７階に所在）のような現在作成途上にある仕様書において、各モバイル装置は、可変長のデータ・ブロックを送信し、次に、基地局がデータ・ブロックを受信したことを示すために基地局からの肯定応答（ＡＣＫ：Acknowledgement）用データ・ブロックの後の予め定めるタイムアウト期間の間待機する。基地局が同じ周波数上で送信しかつ受信する場合、その事実は基地局が同時に送信し受信することを排除してもよく、その結果、肯定応答を送信する前に、すべての着信データ・ブロックが完了するまで基地局は待機する。しかしながら、データ・ブロックが可変長であるので、基地局が別のモバイル装置から長いデータ・ブロックを依然として受信している間、短いデータ・ブロックを送るモバイル装置は肯定応答のタイムアウト（時間切れ）を経験することになる。短いデータ・ブロックに生じる不必要な再送信は、データ通信全体を非効率にさせ、ある状況下ではサービスの中断を引き起こすことになる。
【０００４】
本発明は、下記記述および本発明の実施例を図示するために使用される添付図面を参照することにより理解されるであろう。
【発明の開示】
【０００５】
下記記述では、多くの特定の詳細事項が述べられる。しかしながら、本発明の実施例は、これらの特定の詳細事項がなくても実施できることを理解すべきである。他の実施例では、周知の方法、構造および技術は、この記述の理解を不明瞭にしないために詳細には示されていない
「一実施例」、「実施例」、「実施の例」、「様々な実施例」などの表示は、本発明の実施例が特定の機能、構造または特性を含むが、あらゆる実施例がその特定の機能、構造または特性を必ず含んでいるとは限らないことを示す。さらに、「ある実施例において」なる句の繰り返しの使用は必ずしも同じ実施例を参照するものではない。
【０００６】
次の説明および請求項において、「結合された」、「接続された」なる用語がそれらの派生語と共に使用される。これらの用語は、互いに同義語として意図されていないことに理解しなければならない。むしろ、特定の実施例では、「接続された」は、２またはそれ以上の要素が互いに物理的または電気的な直接の接触にあることを示すために使用されることがある。「結合された」は、２またはそれ以上の要素が物理的または電気的な直接の接触にあるか、または２またはそれ以上の要素が互いに直接の接触にはないが互いに協動して相互作用を及ぼしている状態のいずれかを意味することがある。
【０００７】
ここに使用されるように、別段の定めがない限り、共通の対象を表わす「第１」、「第２」、「第３」などの順序を示す形容詞の使用は、類似の対象の異なる例が引用されていることを単に示すに過ぎず、その対象が一時的にも、空間的に、格付的にも、あるいは他の方法においても、与えられた順序でなければならないことを意図するものではない。
【０００８】
他に特に述べられない限り、次の議論から明らかなように、「処理する」、「演算する」、「計算する」などのような用語を利用する議論は、明細書全体にわたって、コンピュータ、コンピュータ・システムまたは類似の電子計算機装置の動作または処理に関連するものであり、それは電子、量子などの物理量として表わされるデータを物理量として同じように表わされる他のデータへ操作または変換することとして理解される。
【０００９】
同様に、「プロセッサ」なる用語は、任意の装置またはレジスタおよび／またはメモリからの電子データを処理し、その電子データをレジスタおよび／またはメモリに格納できる他の電子データに変形するあらゆる装置または装置の一部に関するものである。「コンピューティング・プラットフォーム」は、１またはそれ以上のプロセッサを含んでいてもよい。
【００１０】
この文書の内容において、用語「ワイヤレス」およびその派生語は、回路、装置、システム、方法、技術、通信チャンネルなどを表し、それは非固体の媒体を経由し変調された電磁放射の使用を通じてデータを通信する。その用語は、関連する装置がいかなる有線をも含まないことを暗示するものではなく、いくつかの実施例において含まれていないだけである。
【００１１】
共通の産業用語に準拠して、「基地局」、「アクセス・ポイント」、および「ＡＰ」なる用語は、複数の他の電子装置とワイヤレスにかつ同時に通信することができる電子装置を記述するために互換的に使用されるものであり、「モバイル装置」および「ＳＴＡ」なる用語は、移動が要件ではないが、移動しても依然として通信する能力を有するこれら複数の他のあらゆる電子装置を表わすために互換的に用いられる。しかしながら、本発明の範囲は、これらの用語が付された装置に制限されるものではない。同様に、「空間分割多重接続」なる用語およびＳＤＭＡは互換的に使用される。ここに使用されるように、これらの用語は、異なる信号が異なるアンテナによって同じ装置から実質的に同時に送信され、その結果その結合した送信信号は同じ周波数上で実質的に異なる方向へ異なる装置に向けて送信される異なる信号となるあらゆる通信技術を、および／または、異なる信号が同じ周波数で複数のアンテナを通して異なる方向の異なる装置から実質的に同時に受信され、かつその異なる信号が適切な処理を通して互いに分離される技術を包含するように意図される。「同じ周波数」なる用語は、ここに使用される場合、帯域幅許容差、ドップラーシフト順応、パラメータ・ドリフトなどによる正確な周波数からの僅かの変分を含んでいてもよい。異なる装置への各送信の少なくとも一部が同時に生じる場合、異なる装置への２またはそれ以上の送信は実質的に同時であると考えられるが、異なる送信が同時に開始しおよび／または終了しなければならないことを暗示するものではない。同様に、異なる装置からの各受信の少なくとも一部が同時に生じる場合、異なる装置からの２またはそれ以上の受信は実質的に同時であると考えられるが、異なる送信が同時に開始しおよび／または終了しなければならないことを暗示するものではない。ＳＤＭＡなる用語に使用される単語における相違は、他の単語によってしばしば使用されることがあり、例えば、「空間の」の代わりに「空間」を、あるいは「分割」の代わりに「ダイバーシティ」を用いることに制限されることはない。本発明の様々な実施例の範囲は、用語のそのような差を包含するものと意図される。
【００１２】
本発明の様々な実施例は、ＳＴＡによって可変タイムアウト期間を用いてもよく、１以上の他のＳＴＡからの送信がタイムアウト期間を開始するＳＴＡからの送信より長い状況を提供することができる。この可変タイムアウト期間は、ＡＰが、他のＳＴＡがＡＰにまだ送信している間にタイムアウト期間を開始するのではなく、タイムアウト期間を開始する前にＳＴＡからの送信を受信完了するまで待機することによって、ＳＴＡの不注意なタイムアウトを防ぐ。
【００１３】
図１は、本発明の実施例に従って、通信ネットワークのダイヤグラムを示す。ＳＤＭＡベースのネットワークを図示する実施例は、ここに記載された方法で、ＡＰから異なる方向に位置する複数のＳＴＡ１３１−１３４と通信するＡＰ１１０を示す。ＡＰ１１０は、一度に４台までのＳＴＡと同時に通信するための４本のアンテナ１２０を示すが、他の実施例は他の配列（例えば、ＡＰ１１０は２本、３本または４本を超えるアンテナを有してもよい）であってもよい。各ＳＴＡは、ＡＰ１１０と通信するために１またはそれ以上のアンテナを有してもよい。いくつかの実施例では、１またはそれ以上のＳＴＡのアンテナは全方向性アンテナとして動作するように適合しているが、他の実施例では、１またはそれ以上のＳＴＡのアンテナは指向性アンテナとして動作するように適合していてもよい。いくつかの実施例では、ＳＴＡは固定位置にあるが、他の実施例では、少なくともいくつかのＳＴＡは通信シーケンス期間中および／または間に移動してもよい。いくつかの実施例では、ＡＰは固定位置にあるが、他の実施例では、ＡＰはモバイルであってもよい。
【００１４】
図２は、本発明の実施例に従って、ＡＰおよび（ＳＴＡ１およびＳＴＡ２とラベルされた）２台のＳＴＡに関する通信シーケンスのタイミング・ダイヤグラムを示す。図示する実施例は２台のＳＴＡを示すが、他の実施例は他の台数のＳＴＡを含んでもよい。図２のＡＰセクションでは、１とラベルされたラインは、ＡＰからＳＴＡ１への方向にある送信を示す一方、２とラベルされたラインは、ＡＰからＳＴＡ２への方向にある送信を示す。ラインＳＴＡ１およびＳＴＡ２は、ＳＴＡ１からＡＰへ、および、ＳＴＡ２からＡＰへの送信をそれぞれ示す。いくつかの実施例では、ＳＴＡ１およびＳＴＡ２からの送信は全方向性（例えば、実質的に送信ＳＴＡの周囲３６０度の円内）であるが、他の実施例では、ＳＴＡ１およびＳＴＡ２からの送信は指向性があってもよい。
【００１５】
ＡＰとＳＴＡとの間の通信は、図２に示されない他の通信シーケンス、例えば、図示されたシーケンスの前後に行なわれる通信を含む。そのようなシーケンスは、ポーリング、データ、肯定応答など含むが、これらに制限されるものではない。
【００１６】
図２では、ＡＰは、ＳＤＭＡ技術を使用して、異なるデータを複数のＳＴＡへ実質的に同時に方向性をもって送信し、かつ異なるデータを複数のＳＴＡから実質的に同時に受信するために必要とされるなんらかのパラメータが既に確立していると仮定する。この能力を使用して、ＡＰは、時間ｔ１のポーリング中にＳＴＡ１とＳＴＡ２の両方に送信する。図示された実施例では、ＡＰは、ＳＴＡ１にポーリング（ＰＯＬＬ１）を送信してＳＴＡ１にＰＯＬＬ１に対する応答をリクエストし、また、ＡＰは、ＰＯＬＬ１と実質的に同時にＳＴＡ２にポーリング（ＰＯＬＬ２）を送信してＳＴＡ２にＰＯＬＬ２に対する応答をリクエストする。ポーリング時間ｔ１の間、いずれのポーリング送信も、ポーリング、例えばデータ、管理情報等以外の情報を含んでいてもよい。
【００１７】
時間ｔ２に、ＳＴＡ１およびＳＴＡ２は、ＡＰに応答を実質的に同時に送信する。図示する実施例では、これらの応答は各々、ＡＰからのポーリングに応答してＡＰに送信されるデータを含むが、他の実施例は、他のタイプの応答、例えば、管理情報、特定のタイプの肯定応答に対するリクエストなどを形成してもよい。
【００１８】
時間ｔ３の期間中、ＳＴＡすべてが送信を完了した後、図示されるように、ＡＰは個々に実質的に同時にこれらの応答を肯定応答することができる。ＡＣＫ１がＳＴＡ１からの応答に対する肯定応答として示される一方、ＡＣＫ２はＳＴＡ２からの応答に対する肯定応答として示される。所与のＳＴＡが予め定義されたタイムアウト期間内に肯定応答を受信しない場合、ＡＰが応答を正確に受信せず、再度ポーリングした時に応答を再送信することができると仮定する。
【００１９】
タイムアウト期間の制御は、ＡＰまたはＳＴＡのいずれにおいても、あらゆる実現可能な方法（例えばハードウェア・カウンタ、ソフトウェア・カウンタなど）で実現することができる。
【００２０】
図２に示される動作では、ＳＴＡ２からの応答は、ＳＴＡ１からの応答より著しく短い。ＳＴＡ２がその応答を完了した後直ちにタイムアウト期間を開始する場合、そのタイムアウト期間はＡＰがｔ３中に肯定応答を送る前に終了し、かつＳＴＡ１がまだ送信している間に終了することがあり、それによって、ＳＴＡ２からの再送信の必要性が生じるおそれがある。この状態を回避するために、ＳＴＡ２は、チャンネルが使用中かどうかを確かめるためにその応答を完了した直後にそのチャンネルをモニタし、いずれかのＳＴＡがいまだ送信を続けている場合タイムアウト期間を開始しないようにする。
【００２１】
いくつかの実施例において、ＳＴＡがそれぞれその応答を完了した後、クリア・チャネル（clear channel）条件（つまり、どのＳＴＡもチャンネル上で送信していると認識されない状態）のためにそのチャンネルをモニタする。図２に図示する例では、ＳＴＡ２はＤＡＴＡ２応答の完了直後にチャンネルをモニタし始め、別のＳＴＡがチャンネル上でいまだ送信していることを検出する。図示する実施例において、ＳＴＡ１は依然として送信しているが、一般的なケースでは、ＳＴＡ２は送信しているＳＴＡの判別までは認識できないが、少なくともあるＳＴＡがまだ送信していることだけは分かる。
【００２２】
ＳＴＡ１が送信を停止すると、さらに、それはＤＡＴＡ１応答の完了直後にクリア・チャネル条件のモニタを開始する。図示する実施例において、他のいずれのＳＴＡもその時に送信していないので、チャンネルはクリアであると直ちに判断される。
【００２３】
いくつかの実施例では、クリア・チャネル条件の検出は、チャンネル上で、情報伝送（例えばデータ、管理情報など）をモニタすることにより達成することができるが、他の実施例は他の技術（例えば、キャリア（搬送波）信号などのモニタリング）を使用してもよい。一旦クリア・チャネル条件が検出されれば、応答期間ｔ２を終了してもよく、また、後続の肯定応答期間ｔ３が開始してもよい。図示する実施例では、フレーム間スペース（ＩＦＳ）が様々な期間ｔ１，ｔ２，ｔ３の間に示されているが、本発明の範囲はこの点に制限されることはない。ＩＦＳは、１）異なる装置のタイミングにおける許容差を考慮に入れる時間、２）次の時間期間が始まる前に必要な処理を行なう時間、３）送信および受信モード間で装置を切り換えるための時間、４）などの状況を考慮に入れるために短い時間を提供することにあるが、上記のことに制限されるものではない。いくつかの実施例では、ＩＦＳはすべて同じ期間を有してもよいが、他の実施例では、特定のＩＦＳの期間は、それが全てのシーケンス中のどこで生じるかに依存していてもよい。図示された例では、応答時間期間が最長の応答が完了した後に終了するとき、ＳＴＡがそれらの肯定応答タイムアウト期間を開始する前に、ＩＦＳ時間が設けられてもよいが、本発明の様々な実施例の範囲はこの方法に制限されることはない。
【００２４】
図２の例では、タイムアウト期間ＴＯ１はＳＴＡ１のためのタイムアウト期間であり、また、タイムアウト期間ＴＯ２はＳＴＡ２のためのタイムアウト期間である。これらのタイムアウト期間の各々は、あらゆる実現可能な手段によってそれぞれのＳＴＡ内で制御される。ＳＴＡがそのタイムアウト期間内にＡＰからその予測された肯定応答を受信しない場合、そのＳＴＡは、その応答がＡＰによって正確に受信されず、次にＡＰからの別のポーリングの後に応答を再送信するために準備すると仮定する。あるいは、ＳＴＡは、ポーリングを要求せずに、チャンネルへのアクセスを求めることにより、応答を再送信するが、本発明の範囲はこの点に関して制限されることはない。
【００２５】
図３は、本発明の実施例に従って、チャンネルのクリア検出を使用する方法のフローチャートを示す。フローチャート３００で示されるように、３１０で、送信はＳＴＡによって終わる。例えば、これは、図２中の「ＤＡＴＡ２」応答の終了に対応する。３２０で、その後、ＳＴＡは、他のＳＴＡによるあらゆる送信継続中のチャンネルをモニタする。このような送信継続中がない場合は、図中の「クリア・チャンネル」条件として示されるが、本発明の範囲はこの用語の使用によって制限されることはない。３３０で決定されるように、他のＳＴＡがもはや送信していないとき、肯定応答タイムアウト期間が３４０で開始する。３５０と３６０で形成されるループは、ＡＣＫが受信される前にタイムアウト期間が終了するかどうかを判断する。ＡＣＫが３５０で最初に受信される場合、タイムアウト期間は３８０で終了（例えば、取消しか中止）してもよく、他の処理（図示せず）が開始してもよい。ＡＣＫが受信される前に、ＡＣＫタイムアウト期間が３６０で終了する場合、プロセスは３７０でエラー処理に進む。エラー処理は、将来のポーリングに応答して、肯定応答されなかった情報を再送信する準備をするような様々な動作を含む。チャンネルがモニタされる頻度、および／または、クリア・チャネルが実際にクリアであることをＳＴＡが認識するための時間に依存して、チャンネルが３３０でクリアであると判断される前に、ＡＣＫが受信される可能性はあり、その場合には、フローは３５０／３８０へ直接にジャンプする。
【００２６】
本発明の様々な実施例は、ハードウェア、ファームウェアおよびソフトウェアのいずれかまたはそれらの組合せで実行することができる。本発明の実施例も、機械読取り可能な媒体上に格納された命令で実行され、それはここに記述された動作、例えば、図３およびその関連する説明に記載されたこれらの動作、および、これらに限定されないが、データを少なくとも１つの送信用送信キューに置き、また少なくとも１つの受信キューからデータを受信するような必要な支援動作を実行するためにコンピューティング・プラットフォームによって読み込まれ実行される。機械読取り可能な媒体は、マシン（例えばコンピュータ）によって読取り可能な形式で情報を格納するか送信するためのあらゆるメカニズムを含む。例えば、機械読取り可能な媒体は、リード・オンリ・メモリ（ＲＯＭ）、ランダム・アクセス・メモリ（ＲＡＭ）、磁気ディスク格納媒体、光格納媒体、フラッシュ・メモリ装置、電気的、光学的、音響的、または他の形式の伝播信号（例えば搬送波、赤外線信号、デジタル信号など）および他の形式を含む。
【００２７】
図４は、本発明の実施例に従って、モバイルの装置のブロック図を示す。コンピューティング・プラットフォーム４５０は、１またはそれ以上のプロセッサを含み、１またはそれ以上のプロセッサの少なくとも１つはデジタル信号プロセサ（ＤＳＰ）であってもよいが、本発明の様々な実施例はこれに制限されることはない。復調器−ＡＤＣの組合せは、アンテナで受信された無線周波数信号をコンピューティング・プラットフォーム４５０によって処理するのに適しているデジタル信号に変換することができる。同様に、ＤＡＣ−変調器の組合せは、コンピューティング・プラットフォーム４５０からのデジタル信号をアンテナによる送信に適している無線周波数信号に変換することができる。図示された実施例では、ＳＴＡ１３１は、アンテナ４２１、変復調装置４２０、ＡＤＣ４３０およびＤＡＣ４４０を各１つを有しているが、他の実施例では複数のアンテナを有してもよく、また各アンテナとコンピューティング・プラットフォーム４５０との間に結合された１を越える変復調装置４２０、ＡＤＣ４３０、ＤＡＣ４４０を具備していてもよい。図示されていない他のコンポーネント（図示するコンポーネントの内部または外部のいずれかに）が必要に応じて含まれていてもよいが、増幅器、フィルタ、発振器などに制限されることはない。
【００２８】
上記記述は、説明用に意図されており、制限するためのものではない。変更が当業者によって行なわれてもよい。それらの変更は、本発明の様々な実施例に含まれるように意図され、本発明は添付の請求項の思想および範囲によってのみ制限される。
【図面の簡単な説明】
【００２９】
【図１】本発明の実施例に従って、通信ネットワークのダイヤグラムを示す。
【図２】本発明の実施例に従って、基地局および複数のモバイルの装置に関する通信シーケンスのタイミング・ダイヤグラムを示す。
【図３】本発明の実施例に従って、チャンネル解除検出を使用する方法のフローチャートを示す。
【図４】本発明の実施例に従って、モバイルの装置のブロック図を示す。
【図１】
2007507133.tif 000003
【図２】
2007507133.tif 000004
【図３】
2007507133.tif 000005
【図４】
2007507133.tif 000006
【国際調査報告】
2007507133.tif 000007
2007507133.tif 000008
2007507133.tif 000009